(57)【要約】      （修正有）【課題】電子部品をプリント回路基板上に半田付けを行う際に、電子部品が半田で固定されるまでの間、電子部品の位置決め及び作業中の保持をより確実且容易なものとし、電子部品を精度良く基板上の適切な位置に維持しておくことができるピンセットを提供する。【解決手段】長手方向の一端部で結合された対向する一対の弾性を有する細長の板状体２，２で構成され、板状体２，２が結合された弾性部と、弾性部から連続した、一対の板状体２，２間が離隔した中間部分である把持部と、把持部から連続した、一対の板状体２，２の他端部に設けた嘴部とを備えたピンセットであって、嘴部に、ピンセットを閉じた状態で、ピンセットの一側方に開口すると共に、先端側が開口した凹部形状であるガイド７を設ける。【選択図】 図３
2008187011.tif 000002
【特許請求の範囲】
【請求項１】
長手方向の一端部で結合された対向する一対の弾性を有する細長の板状体で構成され、該板状体が結合された弾性部と、
該弾性部から連続した、一対の板状体間が離隔した中間部分である把持部と、
該把持部から連続した、一対の板状体の他端部に設けた嘴部とを備えたピンセットであって、
該嘴部に、該ピンセットを閉じた状態で、該ピンセットの一側方に開口すると共に、
先端側が開口した凹部形状であるガイドを設けたことを特徴とするピンセット。
【請求項２】
前記把持部と前記ガイドに角度を付けたことを特徴とする請求項１に記載のピンセット。
【請求項３】
前記ガイドの前記弾性部よりの後端にストッパを設けたことを特徴とする請求項１又は２に記載のピンセット。
【請求項４】
前記凹部形状のガイドの底部を形成するガイド天井のガイド面は、平面状であることを特徴とする請求項１から３のうち何れかに記載のピンセット。
【請求項５】
前記凹部形状のガイドの底部を形成するガイド天井のガイド面の弾性部よりの後端に凹部を設けたことを特徴とする請求項１から３のうち何れかに記載のピンセット。
【請求項６】
前記凹部形状のガイドの底部を形成するガイド天井のガイド面は、凸状の曲面形状であることを特徴とする請求項１から３又は５のうち何れかに記載のピンセット。
【請求項７】
前記凹部形状のガイドの底部を形成するガイド天井のガイド面は、先端部を前記ガイドの内方へ突出させて形成したことを特徴とする請求項１、２、３、５又は６のうち何れかに記載のピンセット。
【発明の詳細な説明】
【技術分野】
【０００１】
本発明はピンセットに関し、特に、電子部品を把持し、回路基板上に表面実装する電子部品の半田付け作業の際に用いるピンセットに関する。
【背景技術】
【０００２】
近年、電子回路はプリント基板上に表面実装部品を取り付けて構成されており、試作等において手作業で電子部品、特に小型電子部品をプリント回路基板上に半田付けを行う場合、電子部品が半田で固定されるまでの間、電子部品を精度良く基板上の適切な位置に維持しておく必要がある。
【０００３】
このような半田付けの作業にあたり、従来からピンセットで電子部品を把持して行っており、そのためのピンセットとして、被把持部材を把持する把持部の対向する面の先端部に、スリットが長さ方向に長く形成されたピンセットが提案されている（例えば、特許文献１参照。）。
【０００４】
又、既存製品では、図９に示すように、握り部９９を寝かせた状態で電子部品を保持することを前提としたピンセットが使用されている。
【０００５】
【特許文献１】特開２００５−６６７９９号公報
【発明の開示】
【発明が解決しようとする課題】
【０００６】
しかし、特許文献１に記載されたピンセットでは、把持部に設けられたスリットが先端から深く形成されているために、部品を基板に押さえつけることが出来ず、部品が基板から浮いた状態で保持されてしまう可能性があり、この場合、電子部品を精度良く基板上の適切な位置に維持しておくことが出来ないという問題点があった。
【０００７】
又、電子部品の向きを調整する際にも、電子部品を保持した時に握り部が基板に対して垂直に近い状態となり、部品を保持するための力を加えた状態のままでピンセットを長手方向を軸として回転させることは困難であるので、電子部品の位置の調整が困難で、作業性が悪いという欠点があった。
【０００８】
又、図９に示す既存製品では、電子部品を基板に押さえつける力や把持する力は、電子部品の側方から電子部品を挟む力による摩擦力のみであるので、充分とはいえない。このため、部品を基板に押さえつけることが出来ないという問題点、更には、半田ごてを電子部品に当てた際に、電子部品が半田ごてに押されて、半田ごてと反対方向に移動してしまうといった問題点があった。
【０００９】
そこで、本発明は、上記従来技術の問題点を解消し、電子部品をプリント回路基板上に半田付けを行う際に、電子部品が半田で固定されるまでの間、電子部品の位置決め及び作業中の保持をより確実且容易なものとし、電子部品を精度良く基板上の適切な位置に維持しておくことを目的とする。
【課題を解決するための手段】
【００１０】
上記の課題を解決する為の本発明は、長手方向の一端部で結合された対向する一対の弾性を有する細長の板状体で構成され、該板状体が結合された弾性部と、該弾性部から連続した、一対の板状体間が離隔した中間部分である把持部と、該把持部から連続した、一対の板状体の他端部に設けた嘴部とを備えたピンセットであって、該嘴部に、該ピンセットを閉じた状態で、該ピンセットの一側方に開口すると共に、先端側が開口した凹部形状であるガイドを設けたことを特徴とするピンセットである。
【００１１】
本発明の前記ピンセットにおいて、前記把持部と前記ガイドに角度を付けることが好ましい。
【００１２】
又、本発明の前記ピンセットにおいて、前記ガイドの前記弾性部よりの後端にストッパを設けことが好ましい。
【００１３】
更に、本発明の前記ピンセットにおいて、前記凹部形状のガイドの底部を形成するガイド天井のガイド面は、平面状であることを特徴とする。
【００１４】
又、本発明の前記ピンセットにおいて、前記凹部形状のガイドの底部を形成するガイド天井のガイド面の弾性部よりの後端に凹部を設けたことを特徴とする。
【００１５】
又、本発明の前記ピンセットにおいて、前記凹部形状のガイドの底部を形成するガイド天井のガイド面は、凸状の曲面形状であることを特徴とする。
【００１６】
又、本発明の前記ピンセットにおいて、前記凹部形状のガイドの底部を形成するガイド天井のガイド面は、先端部を前記ガイドの内方へ突出させて形成したことを特徴とする。
【発明の効果】
【００１７】
以上のような本発明によれば、電子部品をプリント回路基板上に半田付けを行う際に、電子部品が半田で固定されるまでの間、電子部品の位置決め及び作業中の保持をより確実且容易なものとし、電子部品を精度良く基板上の適切な位置に維持しておくことが出来た。特に、嘴部に、ピンセットを閉じた状態で、ピンセットの一側方に開口すると共に、先端側が開口した凹部形状であるガイドを設けたので、電子部品をより大きな力で基板に押さえつけることが出来た。
【００１８】
又、把持部とガイドに角度を付けたので、電子部品を確実に把持しつつ、電子部品の向きの調整が容易に可能となった。
【００１９】
又、ガイドの弾性部よりの後端にストッパを設けたので、電子部品の不要な移動を防止することが出来、電子部品の位置決め及び作業中の保持がより確実且容易なものとなった。
【００２０】
又、前記凹部形状のガイドの底部を形成するガイド天井のガイド面は、平面状であるので、電子部品を確実且均等な力で押付けることが可能となった。
【００２１】
前記凹部形状のガイドの底部を形成するガイド天井のガイド面の弾性部よりの後端に凹部を設けたので、電子部品の端部にめっき等による盛り上がりがある場合であっても、押さえつけた時に生じるがたつきを防止することが可能となった。
【００２２】
前記凹部形状のガイドの底部を形成するガイド天井のガイド面は、凸状の曲面形状であるので、把持部の基板との角度が変化しても、充分に電子部品を押さえつけることが可能となった。
【００２３】
前記凹部形状のガイドの底部を形成するガイド天井のガイド面は、先端部を前記ガイドの内方へ突出させて形成したので、把持する電子部品の中央部付近を押えることが可能であり、電子部品固定の際の安定性を向上させることが可能となった。
【発明を実施するための最良の形態】
【００２４】
以下本発明の実施の形態を図に従って詳細に説明する。ピンセット１は対向する一対の弾性を有する細長の板状体２，２で構成され、板状体２，２が長手方向の一端部で重ねられて連結結合された弾性部３と、弾性部３から連続した一対の板状体２，２間が離隔したピンセット１の中間部分である把持部４と、把持部４から連続した一対の板状体２，２の他端部に設けた嘴部５とを備えている。把持部４は作業者がピンセット１を把持し、力を作用させることで嘴部５を開閉するための部分であり、嘴部５は被把持部材としての電子部品１０を把持する部分である。板状体２，２間を接近、当接させる方向に力を作用させない自然状態では、嘴部５の板状体２，２間は、離隔している。尚、ピンセット１は２本の板状体２，２ではなく、１本の板状体の中間部を曲折して、板状体を対向させて形成してもよい。
【００２５】
嘴部５の先端部分には、ピンセット１を閉じた状態で、ピンセット１の一側方に開口すると共に、先端側が開口した溝状の形状、言い換えれば凹部形状となる、電子部品１０を把持するための部分、ガイド７が設けられている。ピンセット１の一側方とは、ピンセット１の長手方向を上下にして立てた時の外側の一方向という意味であり、従って、一側方に開口とはピンセットを貫通していない状態をいうものである。ガイド７は、一対の板状体２，２に夫々設けられた空間部２２，２２で構成され、ピンセット１の短手方向の断面が略コの字型であり、一対の板状体２，２に夫々設けられたガイド天井７１，７１、ガイド側壁７２，７２、ストッパ７３，７３で形成されている。板状体２，２間を接近、当接させる方向に力を作用させない自然状態では、ガイド天井７１，７１間は、離隔している。
【００２６】
ガイド側壁７２は板状体２の先端部により構成され、ガイド天井７１は、ガイド側壁７２の上端縁或いは中間部からガイド側壁７と略直角に、対向する板状体２方向且つピンセット１の長手方向へ延設した板体で構成され、ストッパ７３はガイド７の弾性部３よりの後端に設けられた壁１２で構成されている。尚、ガイド天井７１は１又は２以上の棒体で構成することも出来、ストッパ７３はガイド７の弾性部３よりの後端に設けられた突起等で構成することも出来る。
【００２７】
ピンセット１の使用において、表面実装する電子部品１０の保持は、ガイド側壁７２，７２からの圧力で行われ、基板に対する電子部品１０の押付けは、ガイド天井７１，７１からの圧力で行われる。更に、ガイド７の一端にはストッパ７３，７３が設けられているので、半田ごてを当てた際に電子部品１０が移動してしまうのを防止することが可能となっている。
【００２８】
ガイド７の形状は、図５に示すように、凹部形状のガイド７の底部を形成するガイド天井７１のガイド７を画定するガイド面９を平面状として略四角柱状としてもよいが（（ａ））、ガイド面９のストッパ７３側、即ち弾性部３よりの後端に設けられた、把持する電子部品の端面のめっき部を収納する凹部７７を設けて形成してもよい（（ｂ））。このような構成とすることで、表面実装する部品の端面のめっき部による盛り上がりにより、電子部品をピンセット１で押さえつけたときに生じるがたつきを抑制することが出来る。又、ガイド面９を凸状の曲面形状に形成してもよい（（ｃ））。このような構成とすることで、把持部４の基板に対する保持角度が変化しても、充分に電子部品を押えることが出来る。又、図５（ｂ）と（ｃ）に示した形状を組み合わせ、ガイド面９のストッパ７３側に凹部７７を設けると共に、ガイド面９を凸状の曲面に形成してもよい（（ｄ））。更に、ガイド面９の先端部９１、即ち弾性部３と反対側の先端部をガイド７の内方へ突出させて形成してもよい（（ｅ））。このような構成とすることで、電子部品の中央部付近を押えることができ、電子部品固定の際の安定性を向上させることが出来る。
【００２９】
ピンセット１は、図７（ｃ）に示すように、弾性部３、把持部４及びガイド７が形成された嘴部５の中心線を一直線状に形成し、把持部４とガイド７に角度を付けずに、即ち、把持部４の中心線Ｘとガイド７のピンセット１の側方に開口する平面を通る線Ｙとを平行に形成してもよいが、図７（ａ）又は（ｂ）に示すように、把持部４とガイド７に角度を付けて、即ち把持部４の中心線Ｘとガイド７のピンセット１の側方に開口する平面を通る線Ｙとのなす角度αを０度より大きく、９０度以下の角度で形成することが好ましい。このように把持部４の中心線Ｘとガイド７の中心線Ｙに角度αを設けるためには、嘴部５のガイド７部分を曲折して形成してもよく（ａ）、嘴部５の先端角隅部に切欠きを設けて、嘴部５を先端に向かって細くなるテーパー状に形成してもよい（ｂ）。
【００３０】
ピンセット１の使用において、電子部品１０の向きの調整、位置決めは、把持部４を移動させることで行われる。この際、把持部４とガイド７に０度より大きく９０度以下の角度を設けて形成することにより、特許文献１に記載された従来のピンセットのように、ピンセット１の長手方向を軸とした回転を与える必要がなく、ガイド７を中心として把持部４を左右に回転すればよいので、作業性良く電子部品１０の向きの調整、位置決めが可能となっている。
【００３１】
尚、他の実施形態として、ガイド７は、一方の板状体２にのみ設けた空間部２２で形成し、即ち一方の板状体２にのみ設けたガイド天井７１及びストッパ７３並びに一対の板状体２，２に夫々設けたガイド側壁７２，７２で形成してもよい。又、一方の板状体２に設けたガイド天井７１及び他方の板状体２に設けたストッパ７３並びに一対の板状体２，２に夫々設けたガイド側壁７２，７２で形成してもよい。
【００３２】
又、ガイド７は、図８に示すように、ストッパ７３を設けないで、ピンセット１の先端側及びガイド７の弾性部３よりの後端側が開口した溝状の形状として構成することも可能である。
【図面の簡単な説明】
【００３３】
【図１】本発明一実施例の側面図（ａ）及び正面図（ｂ）
【図２】本発明一実施例嘴部上面から見た拡大斜視図
【図３】本発明一実施例嘴部下面から見た拡大斜視図
【図４】図２Ｂ−Ｂ断面図
【図５】図２Ａ−Ａ断面図であり、（ａ）〜（ｅ）はガイドの形状のバリエーションを示す図である。
【図６】本発明一実施例使用状態図
【図７】本発明部分側面図であり、（ａ）〜（ｃ）は先端部の形状のバリエーションを示す図である。
【図８】本発明ストッパを有しない実施例嘴部拡大図
【図９】従来技術のピンセットを示す図
【符号の説明】
【００３４】
１    ピンセット
１０  電子部品
２    板状体
２２  空間部
３    弾性部
４    把持部
５    嘴部
７    ガイド
７１  ガイド天井
７２  ガイド側壁
７３  ストッパ
７７  凹部
９    ガイド面
９１  ガイド面の先端部
【図１】
2008187011.tif 000003
【図２】
2008187011.tif 000004
【図３】
2008187011.tif 000005
【図４】
2008187011.tif 000006
【図５】
2008187011.tif 000007
【図６】
2008187011.tif 000008
【図７】
2008187011.tif 000009
【図８】
2008187011.tif 000010
【図９】
2008187011.tif 000011